(57)【要約】【課題】広告表示車両に配信する広告データ情報の割合を考慮して広告を配信する。【解決手段】ローカルサーバａ〜ｘｘに格納されている複数の広告データ情報の中から、広告主ごとに異なる広告表示に対する報酬に基づいて、広告表示車両に送信する広告データ情報を選択して、広告表示車両に送信する。これにより、特定の広告主の広告が集中して配信されることを防ぐことができる。【選択図】図１
2004070181.tif 000002
【特許請求の範囲】
【請求項１】
複数の広告データ情報を記憶する記憶装置と、
広告表示車両に送信する広告データ情報の割合を算出する割合算出装置と、
前記割合算出装置により算出された割合に基づいて、前記記憶装置に記憶されている複数の広告データ情報の中から、前記広告表示車両に送信する広告データ情報を選択する選択装置と、
前記選択装置で選択された広告データ情報を前記広告表示車両に送信する通信装置とを備えることを特徴とする広告配信装置。
【請求項２】
請求項１に記載の広告配信装置において、
前記割合算出装置は、前記広告データ情報が前記広告表示車両に表示されたことに対する報酬（以下、広告報酬と呼ぶ）に基づいて、前記広告データ情報の割合を算出することを特徴とする広告配信装置。
【請求項３】
請求項２に記載の広告配信装置において、
前記選択装置は、前記広告報酬が大きい広告データ情報を優先して選択することを特徴とする広告配信装置。
【請求項４】
請求項２または３に記載の広告配信装置において、
前記広告報酬は広告料金であることを特徴とする広告配信装置。
【請求項５】
請求項２〜４のいずれかに記載の広告配信装置において、
前記記憶装置に記憶する広告データ情報を管理する配信広告管理装置をさらに備え、
前記配信広告管理装置は、同業種の広告データ情報に関しては１つの広告データ情報のみを前記記憶装置に記憶するように管理することを特徴とする広告配信装置。
【請求項６】
請求項５に記載の広告配信装置において、
前記配信広告管理装置は、特定の前記記憶装置に対して記憶される広告データ情報が集中した場合に、前記特定の記憶装置に記憶される広告データ情報の前記広告報酬を引き上げることを特徴とする広告配信装置。
【請求項７】
請求項６に記載の広告配信装置において、
前記配信広告管理装置により広告報酬が引き上げられる広告データ情報が格納されている前記記憶装置の位置情報をインターネットまたは路車間通信を介して公表することを特徴とする広告配信装置。
【請求項８】
宣伝広告を行う広告データ情報が格納されている複数の路側サーバから、路側アンテナの通信範囲内に存在する広告表示車両に対して前記路側アンテナを介して前記広告データ情報を送信し、前記広告データ情報を受信した前記広告表示車両が前記受信した広告データ情報を表示する広告配信方法において、
前記路側サーバは、前記広告表示車両に送信する広告データ情報の割合を調整することを特徴とする広告配信方法。
【発明の詳細な説明】
【０００１】
【発明の属する技術分野】
本発明は、路車間通信システムを利用して、広告を表示するための表示器を備えた車両に広告を配信する広告配信装置、および、広告配信方法に関する。
【０００２】
【従来の技術】
路車間通信システムを利用して、広告を表示するための表示器を備えた車両に広告を配信するシステムが知られている。このシステムでは、広告表示車両が路側アンテナと無線通信を行うことにより、広告データを受信して、車外表示器に広告を表示する。
【０００３】
【発明が解決しようとする課題】
しかし、従来のシステムでは、広告主と広告表示車両の所有者とが広告表示に関する契約を結んでいたので、広告料金の高い広告主と契約する者が多くなり、他の広告主の広告が配信されにくくなるという問題があった。
【０００４】
本発明の目的は、広告表示車両に配信する広告データ情報の広告主ごとの割合を考慮して広告を配信する広告配信装置および広告配信方法を提供することにある。
【０００５】
【課題を解決するための手段】
（１）本発明による広告配信装置は複数の広告データ情報を記憶する記憶装置と、広告表示車両に送信する広告データ情報の割合を算出する割合算出装置と、割合算出装置により算出された割合に基づいて、記憶装置に記憶されている複数の広告データ情報の中から、広告表示車両に送信する広告データ情報を選択する選択装置と、選択装置で選択された広告データ情報を広告表示車両に送信する通信装置とを備えることにより、上記目的を達成する。
（２）宣伝広告を行う広告データ情報が格納されている複数の路側サーバから、路側アンテナの通信範囲内に存在する広告表示車両に対して路側アンテナを介して広告データ情報を送信し、広告データ情報を受信した広告表示車両が受信した広告データ情報を表示する広告配信方法において、路側サーバは、広告表示車両に送信する広告データ情報の割合を調整することにより、上記目的を達成する。
【０００６】
【発明の効果】
（１）本発明による広告配信装置によれば、広告表示車両に送信する広告データ情報の割合を算出し、算出した割合に基づいて、複数の広告データ情報の中から広告表示車両に配信する広告データ情報を選択して送信するので、特定の広告主の広告が集中して配信されることを防ぐことができる。
（２）本発明による広告配信方法によれば、広告表示車両に配信する広告データ情報の割合を調整するので、特定の広告主の広告が集中して配信されることを防ぐことができる。
【０００７】
【発明の実施の形態】
図１は、本発明による広告配信装置に用いられる路車間通信のシステム構成を示す一実施の形態の図である。この路車間通信システムは、所定の位置に配置された複数の路側システムと、複数の路側システムに広告を配信するセンタサーバ１００と、複数の広告主サーバ３００〜３３０と、広告主の登録データや広告内容等を管理する配信広告管理サーバとを有する。
【０００８】
各々の路側システムは、路側アンテナ（ａ〜ｘｘ）と、無線制御装置（１ａ〜１ｘｘ）と、ローカルサーバ（ａサーバ〜ｘｘサーバ）とを有する。ローカルサーバａ〜ｘｘは、対応する路側アンテナａ〜ｘｘを介して、センタサーバ１００との間で様々な情報のやり取りを行う。ローカルサーバａ〜ｘｘに格納される広告情報などのデータは、無線制御装置１ａ〜１ｘｘからの指令により、路側アンテナを介して車載機器を搭載した車両に配信される。なお、複数のローカルサーバａ〜ｘｘとセンタサーバ１００、センタサーバ１００と後述する配信広告管理サーバ２００、配信広告管理サーバ２００と広告主サーバ３００〜３３０とは、それぞれ高速ネットワークで結ばれている。
【０００９】
図２は、本発明による広告配信装置から配信された広告を表示する広告表示車両の一実施の形態の全体構成を示す図である。広告表示車両１０は、複数の路側システムとの間で路車間通信を行うために用いられる車載機器２０と、通信アンテナ２５と、路車間通信により受信した広告情報を表示するための車外表示器３０等を備える。図２に示すように、車外表示器３０は車両１０の屋根に設置されているが、車両１０のリアウインドウに電光掲示板を設置したり、車両１０の側面に電光表示板を設置する構成としてもよい。すなわち、車外の人々に広告内容が見える位置に設置すればよい。
【００１０】
図３は、上述した車載機器２０や車外表示器３０を含む車載システムの一実施の形態の構成を示す図である。車載機器２０は、メモリ２１と処理部２２と無線部２３とを備える。メモリ２１には、路側アンテナａ〜ｘｘとの間で路車間通信が行われる際に送信（アップリンク）するための、広告の契約に関する情報等が記憶されている。車載機器２０には、上述した車外表示器３０とアンテナ２５の他に、車外スピーカ４０と、車内表示器５０と、車内スピーカ６０と、情報入力装置７０とが接続されている。
【００１１】
情報入力装置７０は、例えばテンキーやキーボードであり、後述する契約情報を入力するための装置である。情報入力装置７０として、契約情報が書き込まれたＩＣカードをメモリ２１に読み込むためのＩＣカードリーダ（ライタ）を設けても良い。車内表示器５０は、情報入力装置７０により入力された情報を表示したり、車外表示器３０に表示されている広告を表示することができる。タクシー等の乗客運搬営業車の場合には、車内表示器５０や車内スピーカ６０を用いて車内の乗客に対して広告を提供することもできる。
【００１２】
車載機器２０の処理部２２は、各表示器３０，５０やスピーカ４０，６０の制御を行うとともに、メモリ２１に記憶されているデータに基づいて、路側アンテナａ〜ｘｘに送信するための情報を生成する。生成した情報は、無線部２３およびアンテナ２５を介して、車両１０近傍の路側アンテナａ〜ｘｘに送信される。
【００１３】
配信広告管理サーバ２００には、広告提供者である広告主に関するデータが登録されている。広告主は、提供を希望する地区別（路側アンテナ別）に複数の広告データを登録することができる。図４は、配信広告管理サーバ２００に格納されている広告主登録データの構成を示す図である。登録データには、登録広告主を示す広告主コード、配信広告管理サーバ２００を有する広告配信管理会社と予め決めておいた業種コード、登録した広告の種類や内容および登録日を識別するための広告番号、広告を提供する路側アンテナを希望する路側アンテナ地点情報、車両１０の車外表示器３０にて広告が表示された時の報酬に関する情報（入札情報）、車載機器２０にダウンロードする広告データ情報が含まれる。
【００１４】
例えば、図４に示す登録データのうち広告番号Ａ１のデータでは、広告主のＡ社が「ＤＡ１」の広告データ情報を路側アンテナａ，ｂから広告表示車両１０に配信することを希望している。入札情報は、例えば広告料金であり、広告配信管理会社と広告表示車両を用いて実際に広告を提供する広告配布者との間の契約で決められている。広告配布者が広告表示車両を用いて広告配布を行った場合には、契約で決められた広告料金が、例えば広告配布者が指定した口座に振り込まれる。広告料金の代わりに、広告配信管理会社やその関連会社が提供する商品の割引ポイントや、割引ポイントに変わる他のポイントが広告配布者に支払われる場合には、それらのポイントが入札情報として登録される。
【００１５】
このようなポイント制を採用する場合には、このポイントを広告主や提携会社が発行するＩＣカードに記録するようにしてもよい。すなわち、車両１０の車外表示器３０にて広告を表示した時に、車載機器２０と接続されたＩＣカードライタ（情報入力装置７０）を用いてポイントの書き込みを行うようにする。車両にＩＣカードライタを備えていない場合には、広告表示を行ったという情報をセンタサーバ１００に記録しておき、この情報に基づいて、広告主指定のＩＣカードライタを設置した店舗やサービスステーションにて、ポイントの書き込みを行う。このような構成にすれば、現金を介さずに、ＩＣカードを用いて簡易にポイントのやり取りを行うことができる。なお、ポイント記録用のＩＣカードには、後述する契約コードが含まれており、広告主を特定することができる。
【００１６】
センタサーバ１００は、定期的に配信広告管理サーバ２００に格納されている登録データをチェックして、各々の路側サーバａ〜ｘｘに配信する広告データをセットする。センタサーバ１００が広告データをセットする時期は、各路側アンテナａ〜ｘｘのデータ更新時期、すなわち、広告を配信する路側アンテナの競争入札時期である。センタサーバ１００が広告データをセットする方法について説明する。
【００１７】
図５は、センタサーバ１００に格納されたデータ構成を示す図である。センタサーバ１００には、各路側アンテナａ〜ｘｘごとに配信する広告データがセットされる。図５は、路側アンテナｂを提供希望アンテナとする広告データがセットされている例を示している。センタサーバ１００は、所定のアンテナに最も高い入札情報を付けた広告データを第１配信広告データとする。図４に示す配信広告管理サーバ２００に格納されている登録データを例にとると、路側アンテナｂを提供希望アンテナとしている登録データのうち、最も高い入札情報を付けているのは、Ｃ社の広告番号Ｃ３のデータである。従って、センタサーバ１００は、広告番号Ｃ３のデータを第１配信広告データとしてセットする。
【００１８】
次に、センタサーバ１００は、業種コードが第１配信広告データと異なる広告データのうち、最も高い入札情報を付けた広告データを第２配信広告データとする。図４に示す登録データの場合、第１配信広告データの業種コード（Ｅ８）と異なる業種コードが付されたデータのうち、最も高い入札情報が付されているのは、Ａ社の広告番号Ａ１のデータである。従って、センタサーバ１００は、広告番号Ａ１のデータを第２配信広告データとしてセットする。
【００１９】
センタサーバ１００は、第２配信広告データをセットした方法と同じ方法により、第３配信広告データをセットする。すなわち、配信広告管理サーバ２００に格納されている登録データで、かつ、路側アンテナｂを希望アンテナとする登録データのうち、業種コードが異なる登録データは、全てセンタサーバ１００にセットされる。このように、センタサーバ１００には、同業種の広告データが１つのみセットされ、同業種の広告データが２以上セットされることはない。
【００２０】
センタサーバ１００は、上述した方法によりセットした登録データに含まれている路側アンテナ地点情報に基づいて、路側アンテナａ〜ｘｘとともに設置されているローカルサーバａ〜ｘｘに向けて、広告データ情報を定期的に送信する。例えば、図５に示す広告番号Ｃ３，Ａ１，Ｆ２の付された広告データ情報は、それぞれ路側アンテナｂに向けて送信される。送信された広告データ情報は、路側アンテナａ〜ｘｘにて受信されて、対応するローカルサーバａ〜ｘｘに格納される。ローカルサーバａ〜ｘｘに格納される広告データ情報は、センタサーバ１００から新たな広告データ情報が送信されてきた時に上書きされるので、常に最新の情報となっている。
【００２１】
広告表示車両１０は、路側アンテナａ〜ｘｘの通信範囲内に入ったときに、路車間通信を行う。この時、車載機器２０は、路側アンテナａ〜ｘｘに向けて契約情報を送信する。図６は、契約情報の一例を示す図である。この契約情報には、広告管理会社が契約者を識別するための契約者コード（Ａ−０１）、広告表示に対する報酬の支払い方法を示す報酬支払い情報（ａｂｃ）、広告を表示するための契約期間情報（０６／１２／３１）、前回の車外表示器３０で表示していた広告番号（Ａ２）、および、前回表示されていた広告の表示開始時間（Ｔｘ）が含まれる。なお、前回表示されていた広告の表示開始時間は、車両１０にて現在も継続して広告が表示されている場合には、現在表示されている広告の表示開始時間を意味する。
【００２２】
広告データ情報を要求するために、車載機器２０から送信されて路側アンテナａ〜ｘｘで受信された契約情報は、ローカルサーバａ〜ｘｘに送られる。ローカルサーバａ〜ｘｘは、送信されてきた契約情報に基づいて、広告表示車両１０にて現在表示されている広告データ情報が登録されている広告データ情報と同じではないか、契約期間切れではないか等の確認を行う。広告表示車両１０で表示している広告データ情報が、ローカルサーバａ〜ｘｘに格納されている広告データ情報と同じではなく、かつ、契約期間切れではないと判定すると、路側アンテナａ〜ｘｘを介して、車載機器２０に対して広告データ情報を送信する。
【００２３】
図５に示すように、アンテナｂ用のデータとして、センタサーバ１００にセットされた広告データが３つある場合に、車載機器２０に広告データ情報を送信する方法について説明する。ローカルサーバｂには、広告番号Ｃ３，Ａ１，Ｆ２の３つの広告データが格納されている。ローカルサーバｂは、広告データに付随している入札情報の数値の比率に基づいて、広告データ情報を配信する。図５に示す広告データでは、広告番号Ｃ３，Ａ１，Ｆ２の広告データの入札情報の数値がそれぞれ、２３００，２０００，１５００なので、２３：２０：１５の割合で広告データ情報が配信される。説明を簡単にするために、アンテナｂと路車間通信を行って、広告データを受信する車両が５８台あると仮定すると、広告番号Ｃ３の広告データは２３台の広告表示車両１０に、広告番号Ａ１の広告データは２０台の広告表示車両１０に、広告番号Ｆ２の広告データは１５台の広告表示車両１０に配信される。広告表示車両１０側で受信された広告データ情報は、車外表示器３０に表示される。このとき、入札情報の数値が最も高い第１配信広告データ（広告番号Ｃ３）、第２配信広告データ（広告番号Ａ１）、第３配信広告データ（広告番号Ｆ２）の順に配信される。
【００２４】
図７は、車載機器２０とローカルサーバａ〜ｘｘにてそれぞれ行われる処理手順を示す一実施の形態のフローチャートである。なお、以下の説明では、車載機器２０を搭載している広告表示車両１０が、路側アンテナｂの通信エリア内に存在しているため、車載機器２０とローカルサーバｂとの間で情報をやり取りするものとする。また、ローカルサーバｂには、図５に示すように、広告番号Ｃ３，Ａ１，Ｆ２の広告データが格納されているものとして説明する。車載機器２０側で行われる処理は、処理部２２にて行われる。
【００２５】
ステップＳ１０では、車載機器２０がオンされた時、あるいは車両１０が路側アンテナｂの通信エリア内に入った時または確実に入ると予測された時に、上述した契約情報を生成する。具体的には、予め作成されている契約情報のうち、前回の車外表示器３０で表示していた広告番号と、前回表示していた広告の表示開始時間を更新することにより、新たな契約情報を生成する。契約情報を生成するとステップＳ２０に進む。ステップＳ２０では、無線部２３から路側アンテナｂの通信エリア内に入った旨の信号を受信した後、ステップＳ１０で生成した契約情報を路側アンテナｂに向けて送信する。
【００２６】
車載機器２０が送信した契約情報は路側アンテナｂで受信されて、ローカルサーバｂに転送される。ステップＳ１００では、受信した契約情報に含まれている契約コードに基づいて、契約している広告配布者であるか否かの判定を行う。契約者であると判定するとステップＳ１１０に進み、契約者ではないと判定すると本フローチャートによる処理を終了する。ステップＳ１１０では、契約情報に含まれている契約期間情報に基づいて、契約期間内であるか否かの判定を行う。契約期間内であると判定するとステップＳ１２０に進み、契約期間内ではないと判定すると本フローチャートによる処理を終了する。
【００２７】
ステップＳ１２０では、契約情報に含まれている「前回の車外表示器３０で表示していた広告番号」に基づいて、前回車外表示器３０で表示した広告データがローカルサーバｂに格納されている広告データと同一であるか否かを判定する。前回車外表示器３０で表示された広告データの広告番号がＣ３，Ａ１，Ｆ２のいずれかであれば、ローカルサーバｂに格納されている広告データと同一であると判定してステップＳ１５０に進み、同一ではないと判定するとステップＳ１３０に進む。
【００２８】
ステップＳ１３０では、広告番号がＣ３，Ａ１，Ｆ２が付された広告データの中から、広告データの入札情報の数値の比率に基づいて、車載機器２０に配信する広告データを選択する。配信する広告データを選択すると、ステップＳ１４０に進む。ステップＳ１４０では、ステップＳ１３０で選択した広告データ情報を、車載機器２０に向けて送信する。広告データ情報を送信するとステップＳ１７０に進む。
【００２９】
一方、ステップＳ１５０では、前回車外表示器３０で表示した広告データがローカルサーバｂに登録されているので、契約情報に含まれている「前回表示されていた広告データの表示開始時間情報」に基づいて、広告表示を開始してから所定の時間を経過したか否かを判定する。なお、所定時間は、例えば、契約により定められた同一の広告を表示する時間である。所定時間を経過したと判定すると、ステップＳ１３０に進み、所定時間を経過していないと判定すると、ステップＳ１６０に進む。
【００３０】
ステップＳ１６０では、ローカルサーバｂが広告表示車両１０に表示を要求する広告データ情報は、すでに車載機器２０のメモリ２１に格納されているので、前回車外表示器３０で表示した広告を継続して表示する旨の信号を車載機器２０に向けて送信する。これにより、車載機器２０のメモリ２１に格納されている同一の広告データ情報を再度送信するという無駄を省くことができる。
【００３１】
なお、ステップＳ１６０にて、再度同一の広告データ情報を送信することもできるが、車載機器２０が広告データ情報をダウンロードする際には、通信に時間がかかる。従って、車載機器２０が同一の広告データ情報をダウンロードしている間に、別の車両が通信領域内に入ってきて、広告データ情報を要求する場合には、この車両が広告データ情報のダウンロードをすぐに行えない可能性があるので、ステップＳ１６０では、前回表示した広告を継続して表示する旨の命令信号のみを送信する。
【００３２】
車載機器２０は、ステップＳ３０にて、ローカルサーバｂから送信（ステップＳ１４０）されてきた広告データ情報を車外表示器３０に表示する。また、前回表示した広告を継続して表示する旨の情報（ステップＳ１６０）を受信した場合には、メモリ２１に格納されている、前回表示した広告を車外表示器３０に表示する。広告を表示するとステップＳ４０に進む。ステップＳ４０では、広告表示が完了した旨の信号を路側アンテナｂに送信するように、無線部２３に対して命令する。処理部２２から命令を受けた無線部２３は、路側アンテナｂに対して、広告表示が完了した旨の信号を送信する。
【００３３】
車載機器２０から送られる広告表示完了信号は、路側アンテナｂを介してローカルサーバｂに転送される。ステップＳ１７０では、信号を受信したローカルサーバｂは、広告表示車両１０が広告表示を行ったことにより、どの程度の報酬が発生したのかを示すデータを、車載機器２０に向けて送信する。このとき、ローカルサーバｂは、広告データを送信した車両台数、すなわち、広告表示を行った車両数量の実績データを含む情報を、センタサーバ１００を介して広告主に送信する。広告主に送信する情報には、広告表示を行った広告配布者を特定する情報や、広告の表示をいつ行ったか等の情報を含めることもできる。ステップＳ１７０における処理を行うと、ローカルサーバｂ側で行われる処理は終了する。
【００３４】
ローカルサーバｂから送信された報酬情報をアンテナ２５を介して受信した車載機器２０は、広告表示により発生した報酬を車内表示器５０に表示する。この報酬は、上述したように、広告料金や各種ポイントである。広告表示に対する報酬を車内表示器５０に表示すると、車載機器２０側で行われる処理も終了する。
【００３５】
本実施の形態における広告配信装置によれば、広告表示車両に送信する広告データ情報の割合を算出し、算出した割合に基づいて、複数の広告データ情報の中から広告表示車両に配信する広告データ情報を選択して送信するので、特定の広告主の広告が集中して配信されることを防ぐことができる。すなわち、特定の広告を表示して特定地域内を走行する広告表示車両の数を適切にコントロールすることができる。
【００３６】
従来の方法では、広告主と広告表示車両の所有者とが契約を結んでいたので、路側アンテナと無線通信を行った際に、契約した広告主の広告データが登録されていなければ、広告データが配信されないという問題があった。しかし、本実施の形態による広告配信装置によれば、無線通信を行った路側アンテナとともに設置されているローカルサーバに登録されている広告データが存在すれば、常に広告データが配信されるので、広告配布者は一定の広告配布報酬を得ることが期待できる。また、広告配布者は、複数の広告主と契約を結ぶ必要はなく、上述した広告配布システムを運営する１社の広告配信管理会社と契約を結ぶだけでよい。
【００３７】
広告表示車両に送信する広告データの割合は、広告表示に対する入札情報（報酬）に基づいて定めるので、広告主が支払う広告報酬に応じて公平な広告配布を実現することができる。また、広告報酬が大きい広告データが優先的に広告表示車両に配信されるので、さらに公平な広告配布を実現することができる。さらに、広告表示車両に送信される広告データの割合がローカルサーバａ〜ｘｘに記憶されている複数の広告データ情報ごとの広告報酬の割合と一致するように調整されるので、さらに公平な広告配布を実現することができる。
【００３８】
あるローカルサーバａ〜ｘｘに格納される広告データのうち、同業種の広告データに関しては１つのみが格納されるので、そのローカルサーバａ〜ｘｘ周辺の地域では、同業者の他の広告データが配布される可能性が低くなり、広告主は効果的に特定エリアに所望の広告を配信・表示することができる。また、入札情報の数値に基づいて、同業種の広告データの中から１つの広告データを選択するので、同業種間での広告料の競争を促すことができ、広告配信管理会社および広告配布者に安定した収入をもたらすことが期待できる。
【００３９】
本発明は、上述した一実施の形態に限定されることはない。例えば、図７に示すフローチャートのステップＳ１０では、車載機器２０がオンされた時、あるいは車両１０が路側アンテナｂの通信エリア内に入った時または確実に入ると予測された時に、車載機器２０が契約情報を生成したが、契約情報が記録されたＩＣカードがＩＣカードリーダ（情報入力装置７０）に挿入されて、契約情報がＩＣカードからメモリ２１に移された時に、契約情報を生成するようにしてもよい。
【００４０】
また、特定の路側アンテナからの広告データの配信を希望する広告主が集中した場合には、広告表示に対する報酬を契約していた額より引き上げるようにしてもよい。この場合には、広告表示車両１０に対する広告報酬も高く設定することができるので、特定の路側アンテナが存在する特定地域への車両１０の流入量が増加することにより、特定の路側アンテナを介して広告が配信される回数が増加するので、広告配信のシステム効率を高めることができる。従って、この場合には、広告報酬が高い広告データを配信する路側アンテナの位置情報を、インターネットや路車間通信等を通じて広告表示車両１０に提供する必要がある。
【００４１】
また、上述した一実施の形態では、センタサーバ１００と配信広告管理サーバ２００の２つのサーバを設け、それぞれのサーバによる処理によって、ローカルサーバａ〜ｘｘに格納する広告データを決定したが、１つのサーバのみを設けて、センタサーバ１００と配信広告管理サーバ２００で行われる処理を行うようにしてもよい。
【００４２】
広告データを受信した広告表示車両１０は、車外表示器３０に広告を表示するものとして説明したが、車内表示器５０にも広告を表示するようにしてもよいし、車外スピーカ４０や車内スピーカ６０を用いて広告を音声出力するようにしてもよい。また、このような広告表示車両１０としては、一般車両の他にバスやトラック等の大型車や、オートバイ等の２輪車でもよい。路車間通信に関しても、通信媒体は電波、光、超音波などの種類により、本発明が限定されることはない。
【００４３】
特許請求の範囲の構成要素と一実施の形態の構成要素との対応関係は次の通りである。すなわち、ローカルサーバａ〜ｘｘが割合算出装置、記憶装置および選択装置を、路側アンテナａ〜ｘｘおよび無線制御装置が通信装置を、配信広告管理サーバ２００およびセンタサーバ１００が配信広告管理装置をそれぞれ構成する。なお、本発明の特徴的な機能を損なわない限り、各構成要素は上記構成に限定されるものではない。
【図面の簡単な説明】
【図１】本発明による広告配信方法に用いられる路車間通信のシステム構成を示す一実施の形態の図
【図２】本発明による広告表示車両の一実施の形態の全体構成を示す図
【図３】車載システムの一実施の形態の構成を示す図
【図４】配信広告管理サーバに格納された広告主登録データの構成を示す図
【図５】センタサーバに格納されたデータ構成を示す図
【図６】車載機器から路側アンテナに向けて送信される契約情報の一例を示す図
【図７】車載機器及びローカルサーバで行われる処理手順を示す一実施の形態のフローチャート
【符号の説明】
１ａ〜１ｘｘ…無線制御装置、１０…広告表示車両、２０…車載機器、２１…メモリ、２２…処理部、２３…無線部、２５…アンテナ、３０…車外表示器、４０…車外スピーカ、５０…車内表示器、６０…車内スピーカ、７０…情報入力装置、１００…センタサーバ、２００…配信広告管理サーバ、３００，３１０，３２０，３３０…広告主サーバ
【図１】
2004070181.tif 000003
【図２】
2004070181.tif 000004
【図３】
2004070181.tif 000005
【図４】
2004070181.tif 000006
【図５】
2004070181.tif 000007
【図６】
2004070181.tif 000008
【図７】
2004070181.tif 000009